(57)【要約】【課題】スナップロック機構によって運転席用エアバッグ装置を取り付けたステアリングホイールにおいて、スナップロック機構のロック解除作業を極めて容易に行うことができると共に、ロアカバーの見栄えも良好な運転席用エアバッグ装置付きステアリングホイールを提供する。【解決手段】エアバッグ装置２０の取付脚２６がハブ部２の長孔３０に差し込まれ、溝２６ａに係止バネ３１のサイド棒部３１ｂが係合することによりエアバッグ装置２０がハブ部２に取り付けられている。ロアカバー５の反乗員面に設けられた差込口３６からガイド３７に沿って工具４０を差し込み、該工具４０を回してサイド棒部３１ｂをアンロック方向に移動させることによりエアバッグ装置２０を取り外すことができる。【選択図】図４
2015020455.tif 000002
【特許請求の範囲】
【請求項１】
運転席用エアバッグ装置がスナップロック機構によってハブ部に取り付けられたステアリングホイールであって、
該ハブ部の反乗員側を覆うロアカバーが設けられており、
該ロアカバーに、スナップロック機構のロック解除用工具を差し込むための差込口が設けられているステアリングホイールにおいて、
該差込口が該ロアカバーの反乗員面に設けられており、該工具の先端を該差込口から前記スナップロック機構にまで案内するためのガイドが設けられていることを特徴とする運転席用エアバッグ装置を備えたステアリングホイール。
【請求項２】
請求項１において、該ガイドは、前記差込口側が広く、先端側ほど狭くなる形状を有していることを特徴とするステアリングホイール。
【請求項３】
請求項１又は２において、前記スナップロック機構は、
前記ハブ部に設けられた長孔と、
該ハブ部の乗員面に沿って設けられ、該長孔を横断する係止バネと、
前記エアバッグ装置に設けられ、該長孔に差し込まれた取付脚と、
該取付脚に設けられ、該係止バネが係合した溝と
を有しており、
前記ガイドは、該差込口の縁部から立ち上り、ガイドの先端が該長孔に臨んでいることを特徴とするステアリングホイール。
【発明の詳細な説明】
【技術分野】
【０００１】
本発明は、運転席用エアバッグ装置がスナップロック機構によって取り付けられたステアリングホイールに係り、特に運転席用エアバッグ装置の取り外しが容易なステアリングホイールに関する。
【背景技術】
【０００２】
運転席用エアバッグ装置を、スナップロック機構を介してワンタッチにてステアリングホイールに取り付け可能な運転席用エアバッグ装置の取付構造が特許文献１に記載されている。
【０００３】
特許文献１では、スナップロック機構は、運転席用エアバッグ装置のリテーナの裏面に設けられたフック部と、ステアリングホイール側のベースプレートに設けられたフック部挿通孔と、該フック部挿通孔を横切るように配設された、該フック部に係合する係止バネとを備えている。運転席用エアバッグ装置をステアリングホイールから取り外す場合には、係止バネを押圧工具によってステアリングホイール中央側へ押圧してフック部から離反させる。係止バネが係止解除位置まで移動すると、ベースプレートの裏面から突設された突起に係止バネが係合し、係止バネが係止解除位置に保持される。
【０００４】
特許文献１では、ステアリングホイールのハブ部に、押圧工具を係止バネとの当接箇所に案内するガイド部が設けられている。
【先行技術文献】
【特許文献】
【０００５】
【特許文献１】特開２０１０−１１６０６０号公報
【発明の概要】
【発明が解決しようとする課題】
【０００６】
ステアリングホイールの下面側には、ステアリングホイールハブ部を囲むようにロアカバーが設けられている。特許文献１では、押圧工具をハブ部の側方からガイド部を介して導くようにしているため、ロアカバーの左右の側面壁に開口（工具差込口）を設けることになる。このロアカバー左右の開口を大きくすると、ロアカバーの見栄えが悪くなる。開口を小さくすると、開口に工具を差し込みにくくなると共に、開口に差し込んだ工具をガイド部に導くことも容易ではなくなり、運転席用エアバッグ装置の取り外し作業に手間がかかる。
【０００７】
本発明は、スナップロック機構によって運転席用エアバッグ装置を取り付けたステアリングホイールにおいて、スナップロック機構のロック解除作業を極めて容易に行うことができると共に、ロアカバーの見栄えも良好な運転席用エアバッグ装置付きステアリングホイールを提供することを目的とする。
【課題を解決するための手段】
【０００８】
本発明のステアリングホイールは、運転席用エアバッグ装置がスナップロック機構によってハブ部に取り付けられたステアリングホイールであって、該ハブ部の反乗員側を覆うロアカバーが設けられており、該ロアカバーに、スナップロック機構のロック解除用工具を差し込むための差込口が設けられているステアリングホイールにおいて、該差込口が該ロアカバーの反乗員面に設けられており、該工具の先端を該差込口から前記スナップロック機構にまで案内するためのガイドが設けられているものである。
【０００９】
本発明の一態様では、前記スナップロック機構は、前記ハブ部に設けられた長孔と、該ハブ部の乗員面に沿って設けられ、該長孔を横断する係止バネと、前記エアバッグ装置に設けられ、該長孔に差し込まれた取付脚と、該取付脚に設けられ、該係止バネが係合した溝とを有しており、前記ガイドは、該差込口の縁部から立ち上り、ガイドの先端が該長孔に臨んでいる。
【００１０】
該ガイドは、差込口側が広く、先端側ほど狭くなる形状を有していることが好ましい。
【発明の効果】
【００１１】
本発明のステアリングホイールにあっては、ロック解除用工具を差し込むための差込口をロアカバーの反乗員面に設けているので、目立たず、ロアカバーの見栄えが良好である。また、この差込口からスナップロック機構まで工具の先端を案内するガイドが設けられているので、工具の先端を容易にスナップロック機構に差し込み、スナップロック機構によるロックを解除してエアバッグ装置をハブ部から取り外すことができる。
【００１２】
本発明の一態様にあっては、スナップロック機構の係止バネがエアバッグ装置の取付脚の溝に係合することにより、エアバッグ装置がハブ部にロックされている。この態様にあっては、工具を差込口から差し込んで該係止バネに係合させて溝から退出させることにより、このロックが解除される。
【００１３】
この場合、ガイドを差込口側が広く、先端側ほど狭くなる形状とすることにより、工具を差込口に差し込み易くなる。また、ロアカバーを合成樹脂の射出成形により製造する場合、ロアカバーを金型から容易に脱型することができる。
【図面の簡単な説明】
【００１４】
【図１】実施の形態に係るステアリングホイールの運転席用エアバッグ装置装着前の状態を示す斜視図である。
【図２】ステアリングホイールに運転席用エアバッグ装置を取り付けるときの図１のII−II線断面図である。
【図３】（ａ）図は運転席用エアバッグ装置を取り付けたステアリングホイールの断面図、（ｂ）図は（ａ）図の一部の拡大図である。
【図４】運転席用エアバッグ装置の取り外し方法を説明するステアリングホイールの図１のIV−IV線に沿う断面図である。
【図５】図４のＶ−Ｖ線断面図である。
【発明を実施するための形態】
【００１５】
以下に、図面を参照して本発明の実施の形態について説明する。以下の説明において、ステアリングホイールの左右方向とは、それぞれ、該ステアリングホイールを車両直進時の操舵姿勢とした状態における車体の左右方向に合致する。
【００１６】
図１の通り、ステアリングホイール１は、この実施の形態では所謂３本スポークタイプのものであり、その中央のステアリングハブ部２から左右及び下方の三方に向ってそれぞれスポーク部１Ｌ，１Ｒ，１Ｄが延出し、各スポーク部１Ｌ，１Ｒ，１Ｄの先端側がそれぞれ該ステアリングホイール１の外周のホイール部１Ｗに連なっている。なお、ステアリングホイール１に設けられるスポーク部の個数及び配置はこれに限定されない。ステアリングハブ部２の中央のボス部２ａが車両のステアリングシャフト（図示略）の先端に係合する。ステアリングハブ部２を反乗員側から覆うように、ロアカバー５が装着されている。
【００１７】
エアバッグ装置２０は、図３に明示の通り、エアバッグ２１と、該エアバッグ２１を膨張させるためのインフレータ２２と、該エアバッグ２１及びインフレータ２２が取り付けられたリテーナ２５と、エアバッグ２１の折畳体を覆うように該リテーナ２５の乗員側に装着されたモジュールカバー２３とを有する。エアバッグ２１及びインフレータ２２は、取付リング２４及びボルト（図示略）によってリテーナ２５に取り付けられている。エアバッグ２１は所定形状に折り畳まれている。
【００１８】
モジュールカバー２３は、エアバッグ２１の折畳体の乗員側を覆う主面部２３ａと、該主面部２３ａから反乗員側に立設された脚状壁２３ｂとを有している。主面部２３ａはエアバッグ２１の折畳体に密着状に重なっている。脚状壁２３ｂは、エアバッグ２１の折畳体を取り囲む枠状となっている。この脚状壁２３ｂがリベットや、リテーナ２５に設けられたフック片（いずれも図示略）によってリテーナ２５に取り付けられる。
【００１９】
リテーナ２５から反乗員側に円柱状の取付脚２６が突設されている。この取付脚２６の先端側はテーパ状となっている。取付脚２６の先端近傍の外周面に溝２６ａが周設されている。この取付脚２６はスナップロック機構を介してハブ部２に着脱可能に取り付けられている。このスナップロック機構の構成について次に説明する。
【００２０】
ハブ部２には、ボス部２ａの左右両側に、取付脚２６が差し込まれる長孔（スロット）３０が設けられている。この長孔は左右方向に延在している。長孔３０の短手幅は、取付脚２６の外径よりもごくわずかに大きい。図１の通り、長孔３０の長手方向の両端側の内周縁は、半円弧状となっている。
【００２１】
ハブ部２の乗員側の面に沿って、スナップロック機構を構成する係止バネ３１が配置されている。
【００２２】
係止バネ３１は、図１の通り、ボス部２ａとハブ部２の上辺との間を通って左右に延在する横棒部３１ａと、該横棒部の左右両端から略直角に折曲して図１の下方に延在するサイド棒部３１ｂと、該サイド棒部３１ｂの先端に設けられたＪ字形の湾曲部３１ｃとを有する。
【００２３】
サイド棒部３１ｂは、長孔３０の長手方向の中間付近を該長手方向と直交方向に横断している。サイド棒部３１ｂは、トンネル状の係止バネ保持部３２を通り抜けることにより、ハブ部２に保持されている。ハブ部２には、この係止バネ保持部３２に対面して開口３５（図４，５）が設けられている。
【００２４】
係止バネ３１の左右の湾曲部３１ｃがそれぞれハブ部２のピン３３（図１）に係合している。湾曲部３１ｃの先端側は略Ｌ字形に折曲し、このＬ字形部がピン３３に押し付けられている。係止バネ３１のサイド棒部３１ｂは、このピン３３に反力を得ることにより、トンネル状の係止バネ保持部３２のボス部２ａと反対側の内面に押し付けられている。
【００２５】
エアバッグ装置２０は、図２のように取付脚２６の先端を長孔３０に挿入することによりハブ部２に取り付けられる。取付脚２６の先端を長孔３０に挿入し始めると、取付脚２６先端のテーパ部が係止バネ３１のサイド棒部３１ｂを図２の左方向に押し除けながら取付脚２６が長孔３０に進入し、次いで、図３のように、溝２６ａにサイド棒部３１ｂが入り込む。これにより、取付脚２６がロック状態となり、エアバッグ装置２０がハブ部２に固定される。このロック状態を解除してエアバッグ装置２０をハブ部２から取り外すには、サイド棒部３１ｂを工具４０によって図３（ｂ）のＷ方向に移動させる。
【００２６】
図４，５の通り、工具４０をサイド棒部３１ｂ部分にまで差し込むための差込口３６がロアカバー５の反乗員側に設けられている。また、ロアカバー５には、工具５の先端を差込口３６から、開口３５に臨むサイド棒部３１ｂ直近まで案内するためのガイド３７が設けられている。この実施の形態では、差込口３６はロアカバー５の径方向に延在する長孔よりなる。ガイド３７は、この差込口３６の縁部からハブ部２の開口３５に向かって立ち上っている。ガイド３７は、開口３５に近づくほど狭くなる形状であり、その立ち上げ方向の先端は開口３５内に入り込んでいる。そして、ガイド３７の先端の開放口は、サイド棒部３１ｂと、開口３５の反Ｗ方向の内縁３５ａとの間に臨んでいる。
【００２７】
工具４０は、マイナスドライバー形状のものである。この工具４０を差込口３６から深く差し込むと、その先端がガイド３７に案内されてサイド棒部３１ｂと開口３５の反Ｗ方向の内縁３５ａとの間に差し込まれる。そこで、工具４０を回したり、ボス部２ａ側に押したりすると、サイド棒部３１ｂが図３（ｂ）のＷ方向（ロック解除方向）に押されて移動し、取付脚２６の溝２６ａから退出する。そこで、エアバッグ装置２０を乗員方向に引くと、取付脚２６が長孔３０から抜け出し、エアバッグ装置２０がステアリングホイール１から取り外される。
【００２８】
この実施の形態にあっては、差込口３６をロアカバー５の反乗員面に設けているので、目立たず、ロアカバー５の見栄えが良好である。また、この差込口３６からサイド棒部３１ｂと開口内縁３５ａとの間まで工具４０の先端を案内するガイド３７が設けられているので、工具４０の先端を容易にサイド棒部３１ｂと開口内縁３５ａとの間に差し込み、サイド棒部３１ｂをロック解除方向に移動させてエアバッグ装置２０を取り外すことができる。
【００２９】
なお、この実施の形態では、差込口３６が長孔よりなり、ガイド３７は、図４の通り反乗員側ほどステアリングカラムから離れる方向に広がっているため、工具４０を図４のようにステアリングカラム軸心線に対し斜め方向から差込口３６及びガイド３７に容易に差し込むことができ、ステアリングカラムが支障とならない。また、この実施の形態では、ガイド３７が反乗員側ほど広がる形状であるので、合成樹脂製のロアカバー５を金型で成形する場合、ガイド３７があっても脱型が容易である。
【００３０】
上記実施の形態は本発明の一例であり、本発明は図示以外の形態とされてもよい。
【符号の説明】
【００３１】
１  ステアリングホイール
２  ステアリングハブ部
５  ロアカバー
２０  運転席用エアバッグ装置
２１  エアバッグ
２２  インフレータ
２５  リテーナ
２６  取付脚
３０  長孔
３１  係止バネ
３１ａ  横棒部
３１ｂ  サイド棒部
３１ｃ  湾曲部
３２  係止バネ保持部
３３  ピン
３５  開口
３６  差込口
３７  ガイド
【図１】
2015020455.tif 000003
【図２】
2015020455.tif 000004
【図３】
2015020455.tif 000005
【図４】
2015020455.tif 000006
【図５】
2015020455.tif 000007